(57)【要約】【課題】極めて容易に製作可能でコストダウンが図れるケース整列装置を提供すること。【解決手段】載置面１の上部に浮上状態にして多数の線杆２を所定間隔を置いて並設状態に設け、この線杆２の間隔を整列収納するケース体３の厚み幅よりやや広くし、この線杆２間にケース体３を挿入して載置面１に並設した際、ケース体３は線杆２の並列方向に傾動し得ると共に、左右の線杆２により係止されて所定角度以上傾動し得ないように前記線杆２の間隔を設定したケース整列装置。【選択図】        図４
2004331078.tif 000002
【特許請求の範囲】
【請求項１】
載置面の上部に浮上状態にして多数の線杆を所定間隔を置いて並設状態に設け、この線杆の間隔を整列収納するケース体の厚み幅よりやや広くし、この線杆間にケース体を挿入して載置面に並設した際、ケース体は線杆の並列方向に傾動し得ると共に、左右の線杆により係止されて所定角度以上傾動し得ないように前記線杆の間隔を設定したことを特徴とするケース整列装置。
【請求項２】
前記線杆を多数並設した線杆並設体に脚部を垂設し、この脚部を載置面に接地することで、載置面の上部に浮上状態にして多数の線杆を所定間隔を置いた並設状態に設けたことを特徴とする請求項１記載のケース整列装置。
【請求項３】
前記並設した線杆間に交差体を設けて前記線杆並設体を形成し、この線杆並設体の線杆若しくは交差体の端部を下方へ折曲して前記脚部を形成したことを特徴とする請求項２記載のケース整列装置。
【請求項４】
前記載置面を収納部に引き出し自在に設けた引き出し部の上面としたことを特徴とする請求項１〜３のいずれか１項に記載のケース整列装置。
【発明の詳細な説明】
【０００１】
【発明の属する技術分野】
本発明は、例えば、ＣＤケースなどを整列収納できるケース整列装置に関するものである。
【０００２】
【従来の技術及び発明が解決しようとする課題】
従来、この種のケース整列装置として、例えば実公平５−６８５２号のように、平坦な基板上にケースの厚みよりやや大きい間隔を置いて複数の支持壁を立設状態に設け、対向する支持壁間の係合溝部にケースの端部を挿入すると、ケースが前方傾斜状態若しくは後方傾斜状態に支えられて陳列されるものがある。
【０００３】
また、基板上に複数の支持壁を立設して成る支持具は、合成樹脂材、アルミニウムその他金属材の成形体によって構成されている。
【０００４】
本発明は、この種のケースを斜設状態にして複数陳列できるケース整列装置の改良に係るもので、極めて容易に製作可能でコストダウンが図れるケース整列装置を提供するものである。
【０００５】
【課題を解決するための手段】
添付図面を参照して本発明の要旨を説明する。
【０００６】
載置面１の上部に浮上状態にして多数の線杆２を所定間隔を置いて並設状態に設け、この線杆２の間隔を整列収納するケース体３の厚み幅よりやや広くし、この線杆２間にケース体３を挿入して載置面１に並設した際、ケース体３は線杆２の並列方向に傾動し得ると共に、左右の線杆２により係止されて所定角度以上傾動し得ないように前記線杆２の間隔を設定したことを特徴とするケース整列装置に係るものである。
【０００７】
また、前記線杆２を多数並設した線杆並設体Ａに脚部４を垂設し、この脚部４を載置面１に接地することで、載置面１の上部に浮上状態にして多数の線杆２を所定間隔を置いた並設状態に設けたことを特徴とする請求項１記載のケース整列装置に係るものである。
【０００８】
また、前記並設した線杆２間に交差体５を設けて前記線杆並設体Ａを形成し、この線杆並設体Ａの線杆２若しくは交差体５の端部を下方へ折曲して前記脚部４を形成したことを特徴とする請求項２記載のケース整列装置に係るものである。
【０００９】
また、前記載置面１を収納部６に引き出し自在に設けた引き出し部７の上面としたことを特徴とする請求項１〜３のいずれか１項に記載のケース整列装置に係るものである。
【００１０】
【発明の実施の形態】
好適と考える本発明の実施の形態（発明をどのように実施するか）を、図面に基づいてその作用効果を示して簡単に説明する。
【００１１】
線杆２間にケース体３を挿入してこのケース体３の下端を載置面１に載置すると、ケース体３は線杆２の並列方向に傾動すると共に、左右の線杆２により係止されて所定角度以上傾動し得ないように支持されることになる。
【００１２】
従って、多数の線材２間に夫々ケース体３を挿入して下端を載置面１に載置することで、多数のケース体３が線杆２の並列方向に傾斜した状態で整列することになる。
【００１３】
また、本発明によれば、ケース体３を支持する部材（線杆並設体Ａ）は、多数の線杆２を所定間隔を置いて並設するように組んだ上、各線杆２の並設間隔を、この線杆２間にケース体３を挿入して載置面１に並設した際に、ケース体３が線杆２の並列方向に傾動し得ると共に、左右の線杆２により係止されて所定角度以上傾動し得ない間隔に設定するだけで構成できるため、この構成は簡易に設計実現可能な構成であり、量産性に秀れ、低コストで製作可能となり、しかも、この簡単に製作可能な支持部材（線杆並設体Ａ）を、単に適宜な載置面１の上部に浮上状態に配設するだけで本発明は構成可能であるなど、簡易構造で極めて実用性に秀れたケース整列装置となる。
【００１４】
また、例えば、前記線杆２を多数並設した線杆並設体Ａに脚部４を垂設し、この脚部４を載置面１に接地することで、載置面１の上部に浮上状態にして多数の線杆２を所定間隔を置いた並設状態に設ければ、載置面１の上部に浮上状態にして多数の線杆２が並設する本発明の構成を簡易に設計実現可能となり、一層実用的となる。
【００１５】
また、例えば、前記並設した線杆２間に交差体５を設けて前記線杆並設体Ａを形成し、この線杆並設体Ａの線杆２若しくは交差体５の端部を下方へ折曲して前記脚部４を形成すれば、線杆２が前記間隔を置いて多数並設すると共に、脚部４が設けられた線杆並設体Ａを簡易に設計実現可能となり、一層実用的となる。
【００１６】
また、例えば、前記載置面１を収納部６に引き出し自在に設けた引き出し部７の上面とすれば、単に、引き出し部７の上面に、浮上状態にして多数の線杆２を所定間隔を置いて並設状態に設けるか、若しくは線杆並設体Ａを接地するだけで引き出し部７に本発明を適用できるため、これにより例えば、引き出し付のＣＤラックなどに本発明を容易に適用可能となるなど、一層実用的となる。
【００１７】
【実施例】
本発明の具体的な実施例について図面に基づいて説明する。
【００１８】
本実施例は、収納部６として公知のＣＤラック（以下、ＣＤラック６と称す。）に本発明を適用した場合を示している。即ち、ＣＤケース整列装置に構成している。
【００１９】
このＣＤラック６について簡単に説明すると、図１，図３に示すように、前面が開口する箱形の収納本体９に、この前面開口部９Ａから引き出し入れ自在な引き出し部７を上下二段に備えた構成としている。
【００２０】
また、引き出し部７は、図２，図４に示すように、方形状の底板７Ａの後端に後壁部７Ｂを立設すると共に、前端に透明な前壁部７Ｃを立設して成る構成とし、底板７Ａ上に収納した収納物（ＣＤケース）を前壁部７Ｃを介して透視できるようにしている（図１，図３参照）。
【００２１】
本実施例では、このＣＤラック６の引き出し部７に、ケース体３としてのＣＤケース（以下、ＣＤケース３と称す。）を多数整列状態に収納し得るように構成している。
【００２２】
具体的には、この引き出し部７の底板７Ａの上面を、ＣＤケース３を載置するための載置面１とし、この載置面１の上部に浮上状態にして多数の線杆２を所定間隔を置いて並設状態に設けている。
【００２３】
更に説明すると、線杆２は金属製線材を採用し、この線杆２を多数並設して成る線杆並設体Ａに脚部４を垂設し、この脚部４を載置面１に接地することで、載置面１の上部に浮上状態にして多数の線杆２を所定間隔を置いた並設状態に設けている。
【００２４】
また、この線杆並設体Ａについて更に説明すると、図２に示すように、多数の同長の線杆２を間隔を置いて並設し、この並設する線杆２の上に金属製線材を採用した交差体５を線杆２と直交状態にして配設し、この交差体５と各線杆２とを適宜な手段で止着することで、多数の線杆２が間隔を置いた並設状態に固定される構成としている。
【００２５】
また、この並設する線杆２の間隔は、図４に示すように、整列収納するＣＤケース３の厚み幅よりやや広くすると共に、この線杆２間にＣＤケース３を挿入して載置面１に並設した際、ＣＤケース３が線杆２の並列方向に傾動し、前後面が左右の線杆２により係止してこのＣＤケース３の前面（後面）が見易い傾斜角度で支持される間隔に設定している。尚、本実施例では、最も一般的な薄厚のＣＤケース３に合わせて線杆２間の間隔設定を行っているが、例えば二枚組などの更に厚みあるＣＤケース３に合わせた間隔部分が適宜混在するように、前記線杆並設体Ａを構成しても良い。
【００２６】
また、前記交差体５は、ＣＤケース３の横幅よりもやや大きい間隔を置いて線杆２の長さ方向に複数（図面では四本）設け、この交差体５に沿ってＣＤケース３の収納列（図面では三列）を仕切っている（図３参照）。即ち、交差体５は、多数の線杆２を止着して線杆並設体Ａを保形するための部材であると同時に、ＣＤケース３の収納列の仕切り部材としても機能するように構成している。
【００２７】
また、図２，図４に示すように、この各交差体５の両端部を下方へ折曲し、この折曲下端部を前記脚部４に形成している。
【００２８】
この脚部４により、載置面１に対して線杆２が間隔を置いて浮上した状態となるように設けると共に、線杆２間にＣＤケース３を挿入して載置面１に並設した際、このＣＤケース３が簡単に倒れてしまうことがなく、図４に示すように確実に並設する二本の線杆２と載置面１との三点に当接係止して傾斜状態に支持されることとなるように、各交差体５の両端部の折曲長さ寸法を設定している。
【００２９】
また、この脚部４は、引き出し部７の上面（載置面１）に止着せず、単に載置した構成とし、引き出し部７と線杆並設体Ａとは、着脱分離自在に設けている。
【００３０】
即ち、本実施例は、単に公知のＣＤラック６に対して、引き出し部７に構造変更を施すことなく、上記構造の線杆並設体Ａを追加て載置収納しただけの構造であり、しかも、線杆並設体Ａも、上記したように単に線材を組むだけで簡単に構成できるために容易に設計実現可能であり、よって本実施例は、簡単に且つコスト安に実現可能な構成となる。
【００３１】
また、引き出し部７より取り外した線杆並設体Ａを、例えば、テーブル上面や収納棚の棚面などの平坦面に載置接地することでも、これらの平坦面が前記載置面１として機能し、これらの平坦面上にＣＤケース３を多数傾斜状態にして整列させることが可能となる。
【００３２】
従って、この線杆並設体Ａだけでも商品としての価値があるもので、ユーザーが載置面１を適宜選択して使用できるような商品形態としても良い。
【００３３】
また、本実施例では、図４に示すように、傾斜状態で支持されるケース体３間にインデックスカード８を斜設状態にして挿入し、このインデックスカード８の下縁をケース体３間の線杆２上に載置すると共に、傾斜下側となる面を隣接するＣＤケース３の前面（若しくは後面）重合載置することで、インデックスカード８を任意の位置のＣＤケース３間に配設できるように構成している。即ち、本実施例の線杆２は、傾斜状態で支持されるケース体３間にインデックスカード８を挿入し得る間隔が形成され得る径寸法であって、且つインデックスカード８を載置し得る径寸法のものを採用している。
【００３４】
尚、本発明は、本実施例に限られるものではなく、各構成要件の具体的構成は適宜設計し得るものである。
【００３５】
【発明の効果】
本発明は上述のように構成したから、ケース体を支持する部材（線杆並設体）は、多数の線杆を所定間隔を置いて並設するように組んだ上、この線杆間にケース体を挿入して載置面に並設した際に、ケース体が線杆の並列方向に傾動し得ると共に、左右の線杆により係止されて所定角度以上傾動し得ない間隔に設定するだけで構成できるため、この構成は簡易に設計実現可能な構成であり、量産性に秀れ、低コストで製作可能となり、しかも、本発明は、この簡単に製作可能な支持部材（線杆並設体）を、単に適宜な載置面の上部に浮上状態に配設するだけで構成可能となるなど、極めて実用性に秀れた簡易構造のケース整列装置となる。
【００３６】
また、請求項２記載の発明においては、載置面の上部に浮上状態にして多数の線杆が並設する構成を簡易に設計実現可能となる一層実用性に秀れた構成のケース整列装置となる。
【００３７】
また、請求項３記載の発明においては、線杆が前記間隔を置いて多数並設すると共に、脚部が設けられた線杆並設体を簡易に設計実現可能となる一層実用性に秀れた構成のケース整列装置となる。
【００３８】
また、請求項４記載の発明においては、単に、引き出し部の上面に、浮上状態にして多数の線杆を所定間隔を置いて並設状態に設けるか、若しくは線杆並設体を接地するだけで引き出し部に対して本発明を適用できるため、これにより例えば、引き出し付のＣＤラックなどに対して本発明を容易に適用可能となるなど、一層実用性に秀れた構成のケース整列装置となる。
【図面の簡単な説明】
【図１】本実施例の使用状態を示す斜視図である。
【図２】本実施例の線杆並設体を示す説明斜視図である。
【図３】本実施例の使用状態における収納本体より引き出し部を引き出した状態を示す斜視図である。
【図４】本実施例の使用状態における収納本体を省略した切欠側面図である。
【符号の説明】
１  載置面
２  線杆
３  ケース体
４  脚部
５  交差体
６  収納部
７  引き出し部
Ａ  線杆並設体
【図１】
2004331078.tif 000003
【図２】
2004331078.tif 000004
【図３】
2004331078.tif 000005
【図４】
2004331078.tif 000006